(57)【特許請求の範囲】
【請求項１】
内部に流路を有する本体部と、
開閉により前記流路の上流側から下流側への湯水の流通と遮断とを切り替えるための開閉弁と、
前記開閉弁よりも前記流路の下流側に設けられ、前記開閉弁側への湯水の逆流を防止するための逆止弁と、
正常時には閉じており、前記逆止弁から前記開閉弁側への湯水の逆流が発生した時には開いて前記流路内にて逆流した湯水を排水するための大気開放部とを備え、
前記大気開放部は、
前記本体部と一体的に形成され、かつ第１開口部を有する弁ハウジング部と、
前記第１開口部を塞ぎかつ前記弁ハウジング部との間に大気開放弁室を構成するように前記弁ハウジング部に取り付けられた蓋部材と、
前記大気開放弁室内に配置され、かつ前記開閉弁よりも上流側の流路内の圧力により閉方向の力を受ける弁体とを含み、
前記蓋部材は、前記大気開放弁室と前記開閉弁よりも上流側の流路とを繋ぐ圧力チャージ通路を有しており、かつ一方向からの固定で前記弁ハウジング部に取り付けられており、
前記圧力チャージ通路は、前記大気開放弁室に開口する第１通路と、前記開閉弁よりも上流側の流路に開口する第２通路と、前記第１通路と前記第２通路とを繋ぐ第３通路とを有し、
前記第３通路は前記蓋部材の外面に開口する第２開口部を有し、
前記第３通路の前記第２開口部に挿入された閉止栓をさらに備え、
前記本体部は、前記閉止栓の側方に位置することにより前記第３通路からの前記閉止栓の抜けを防止する壁面部を有する、逆流防止装置。
【請求項２】
前記圧力チャージ通路は、コの字形状となるように前記蓋部材に設けられている、請求項１に記載の逆流防止装置。
【請求項３】
前記開閉弁よりも上流側の流路と前記第２通路との接続部において、前記蓋部材と前記本体部とは円筒シールによりシールされている、請求項１または請求項２に記載の逆流防止装置。
【請求項４】
前記蓋部材に対して前記弁ハウジング部とは反対側に位置することにより、前記弁ハウジング部に対する前記蓋部材の移動を規制する規制部材をさらに備えた、請求項１〜３のいずれか１項に記載の逆流防止装置。
【請求項５】
前記規制部材は、前記本体部にねじ込まれたねじである、請求項４に記載の逆流防止装置。
【請求項６】
前記蓋部材は、前記圧力チャージ通路に対して前記弁ハウジング部とは反対側に突き出したリブ部を有する、請求項１〜５のいずれか１項に記載の逆流防止装置。
【請求項７】
上水を加熱するための給湯経路と、
浴槽の湯水を加熱するための風呂循環経路と、
前記給湯経路と前記風呂循環経路とを接続し、かつ前記給湯経路から前記風呂循環経路に湯水を流入させるための注湯経路と、
前記給湯経路から前記注湯経路へ湯水の流通と遮断を切り替えるための注湯弁とを備え、
請求項１〜６のいずれか１項に記載の逆流防止装置の前記開閉弁が前記注湯弁となるように前記逆流防止装置が組み込まれている、風呂給湯器。
【発明の詳細な説明】
【技術分野】
【０００１】
本発明は、逆流防止装置および風呂給湯器に関するものである。
【背景技術】
【０００２】
従来の逆流防止装置として、たとえば特開２０１５−２５４９２号公報（特許文献１）、特開２００３−３３６７５７号公報（特許文献２）に記載のものが知られている。
【０００３】
特開２０１５−２５４９２号公報に記載の逆流防止装置では、大気開放弁の弁体の背面側に１次圧を受ける圧力室が設けられている。その圧力室に通じる管体部は、１次側流水路と配管接続されている。
【０００４】
特開２００３−３３６７５７号公報に記載の逆流防止装置では、大気開放弁を覆う蓋に、第１逆止弁の上流と連通させるための通路が設けられている。
【先行技術文献】
【特許文献】
【０００５】
【特許文献１】特開２０１５−２５４９２号公報
【特許文献２】特開２００３−３３６７５７号公報
【発明の概要】
【発明が解決しようとする課題】
【０００６】
特開２０１５−２５４９２号公報に記載の逆流防止装置では、圧力室に通じる管体部が１次側流水路と配管接続されるため、部品の数が多くなる。また特開２００３−３３６７５７号公報に記載の逆流防止装置では、部品の数が多くなるとともに、シール性の面で不安がある。
【０００７】
本発明は、上記の課題に鑑みてなされたものであり、その目的は、部品の数が少ないシンプルな構成でシール性に優れた逆流防止装置および風呂給湯器を提供することである。
【課題を解決するための手段】
【０００８】
本発明の逆流防止装置は、本体部と、開閉弁と、逆止弁と、大気開放部とを備えている。本体部は、内部に流路を有する。開閉弁は、開閉により流路の上流側から下流側への湯水の流通と遮断とを切り替えるためのものである。逆止弁は、開閉弁よりも流路の下流側に設けられ、開閉弁側への湯水の逆流を防止するためのものである。大気開放部は、正常時には閉じており、逆止弁から開閉弁側への湯水の逆流が発生した時には開いて流路内にて逆流した湯水を排水するためのものである。大気開放部は、弁ハウジング部と、蓋部材と、弁体とを含む。弁ハウジング部は、本体部と一体的に形成され、かつ第１開口部を有する。蓋部材は、第１開口部を塞ぎかつ弁ハウジング部との間に大気開放弁室を構成するように弁ハウジング部に取り付けられている。弁体は、大気開放弁室内に配置され、かつ開閉弁よりも上流側の流路内の圧力により閉方向の力を受ける。蓋部材は、大気開放弁室と開閉弁よりも上流側の流路とを繋ぐ圧力チャージ通路を有しており、かつ一方向からの固定で弁ハウジング部に取り付けられている。
【０００９】
本発明の逆流防止装置によれば、蓋部材は、大気開放弁室と開閉弁よりも上流側の流路とを繋ぐ圧力チャージ通路を有している。このため大気開放弁室と開閉弁よりも上流側の流路とを繋ぐ配管などを別途準備する必要がない。よって部品の数が少ないシンプルな構成で圧力チャージ通路を構成でき、かつシール性を向上させることができる。
【００１０】
また蓋部材が一方向からの固定で弁ハウジング部に取り付けられている。このため、弁ハウジングに対して蓋部材を位置合わせすることが容易になるとともに、シール性を向上させることができる。
【００１１】
上記の逆流防止装置においては、圧力チャージ通路は、コの字形状となるように蓋部材に設けられている。
【００１２】
これにより圧力チャージ通路を簡易な形状で構成することができる。
上記の逆流防止装置においては、圧力チャージ通路は、大気開放弁室に開口する第１通路と、開閉弁よりも上流側の流路に開口する第２通路と、第１通路と第２通路とを繋ぐ第３通路とを有している。第３通路は蓋部材の外面に開口する第２開口部を有している。
【００１３】
これにより第３通路の第２開口部から樹脂成形時の金型を抜くことが可能となる。このため、コの字形状の圧力チャージ通路を樹脂成形で蓋部材に形成することができる。
【００１４】
上記の逆流防止装置は、第３通路の第２開口部に挿入された閉止栓をさらに備えている。
【００１５】
この閉止栓により、第３通路の第２開口部から湯水が漏れることを防止することができる。
【００１６】
上記の逆流防止装置においては、本体部は、閉止栓の側方に位置することにより第３通路からの閉止栓の抜けを防止する壁面部を有する。
【００１７】
この壁面部が閉止栓の側方に位置しているため、閉止栓が第３通路から抜けることが壁面部により防止される。
【００１８】
上記の逆流防止装置においては、開閉弁よりも上流側の流路と第２通路との接続部において、蓋部材と本体部とは円筒シールによりシールされている。
【００１９】
円筒シールによりシール部の円周全体に均一に力を加えることができるため、シール部の全周において湯水の漏れが抑制される。
【００２０】
上記の逆流防止装置は、蓋部材に対して弁ハウジング部とは反対側に位置することにより、弁ハウジング部に対する蓋部材の移動を規制する規制部材をさらに備えている。
【００２１】
この規制部材により蓋部材の移動が規制されるため、湯水の圧力が高い場合であっても、蓋部材が弁ハウジング部に対して移動することが規制される。これにより、さらにシール性を向上させることができる。
【００２２】
上記の逆流防止装置においては、規制部材は、本体部にねじ込まれたねじである。
規制部材にねじを用いることにより簡易な構成で規制部材を実現することができる。
【００２３】
上記の逆流防止装置においては、蓋部材は、圧力チャージ通路に対して弁ハウジング部とは反対側に突き出したリブ部を有する。
【００２４】
圧力チャージ通路の裏側に突き出したリブ部を設けることにより、蓋部材の強度を補強することができる。これにより圧力チャージ通路を流れる湯水の圧力が高い場合にも、蓋部材の変形を抑制することができる。
【００２５】
本発明の風呂給湯器は、給湯経路と、風呂循環経路と、注湯経路と、注湯弁とを備えている。給湯経路は、上水を加熱するためのものである。風呂循環経路は、浴槽の湯水を加熱するためのものである。注湯経路は、給湯経路と風呂循環経路とを接続し、かつ給湯経路から風呂循環経路に湯水を流入させるためのものである。注湯弁は、給湯経路から注湯経路へ湯水の流通と遮断を切り替えるためのものである。上記のいずれかに記載の逆流防止装置の開閉弁が注湯弁となるように逆流防止装置が組み込まれている。
【００２６】
本発明の風呂給湯器によれば、蓋部材は、大気開放弁室と開閉弁よりも上流側の流路とを繋ぐ圧力チャージ通路を有している。このため大気開放弁室と開閉弁よりも上流側の流路とを繋ぐ配管などを別途準備する必要がない。よって部品の数が少ないシンプルな構成で圧力チャージ通路を構成でき、かつシール性を向上させることができる。
【００２７】
また蓋部材が一方向からの固定で弁ハウジング部に取り付けられている。このため、弁ハウジングに対して蓋部材を位置合わせすることが容易になるとともに、シール性を向上させることができる。
【発明の効果】
【００２８】
以上説明したように本発明によれば、部品の数が少ないシンプルな構成でシール性に優れた逆流防止装置および風呂給湯器を実現することができる。
【図面の簡単な説明】
【００２９】
【図１】本発明の一実施の形態における逆流防止装置の構成を概略的に示す斜視図である。
【図２】本発明の一実施の形態における逆流防止装置の構成を概略的に示す断面図である。
【図３】図２のＩＩＩ−ＩＩＩ線に沿う概略断面図である。
【図４】本発明の一実施の形態における逆流防止装置の大気開放弁を分解して示す分解斜視図である。
【図５】本発明の一実施の形態における逆流防止装置に用いられる蓋部材の構成を概略的に示す一方表面図（Ａ）、他方表面図（Ｂ）、斜視図（Ｃ）、（Ｄ）である。
【図６】図２のＶＩ−ＶＩ線に沿う概略断面図である。
【図７】本発明の一実施の形態における風呂給湯機の構成を示す概略図である。
【図８】面シールを用いた場合の問題を説明するための図である。
【発明を実施するための形態】
【００３０】
以下、本発明の実施の形態について図に基づいて説明する。
主に図１〜図３に示されるように、逆流防止装置１は、本体部２１（図２）と、開閉弁１１（図２）と、第１逆止弁１２（図２）と、大気開放部（大気開放弁）１３（図３）と、第２逆止弁１４（図２）と、流量センサ１５（図２）とを主に有している。
【００３１】
主に図１に示されるように、本体部２１は、正面視略Ｌ字のパイプ形状を有し、かつ樹脂より形成されている。本体部２１は、内部に流路を有している。本体部２１は、ケーシング２１Ａと、ケーシング２１Ｃとを有している。ケーシング２１Ａとケーシング２１Ｃとは、ボルトなどによって互いに取り付け・取り外し可能に構成されている。
【００３２】
ケーシング２１Ａは、管体部２１Ａ１と、管体部２１Ａ２とを有している。管体部２１Ａ１と管体部２１Ａ２とは互いに直交するように一体成形されている。これによりケーシング２１Ａは、正面視略Ｌ字のパイプ形状を構成している。ケーシング２１Ｃは、管体部２１Ａ２の下流側端部に接続されている。
【００３３】
管体部２１Ａ１の開口部２１Ｂａはたとえば上水道側に接続される部分であり、ケーシング２１Ｃの開口部２１Ｃａはたとえば浴槽側に接続される部分である。
【００３４】
主に図２に示されるように、管体部２１Ａ１は、内部に１次側流路２２を有している。管体部２１Ａ２は、内部に２次側流路２３を有している。１次側流路２２と２次側流路２３とは互いに連通している。１次側流路２２内の湯水には１次圧Ｐ１が加わっており、２次側流路２３内の湯水には２次圧Ｐ２が加わっている。
【００３５】
１次側流路２２と２次側流路２３とが連通している箇所においては、弁開口部２７が形成されている。弁開口部２７の周縁には、弁座２４が形成されている。
【００３６】
開閉弁１１は、１次側流路２２と２次側流路２３との間に配置されている。開閉弁１１は、弁開口部２７を開閉し、その開閉により流路の上流側（１次側流路２２側）から下流側（２次側流路２３側）への湯水の流通と遮断とを切り替えるためのものである。
【００３７】
開閉弁１１は、たとえば電磁駆動式のパイロット式電磁弁である。開閉弁１１は、ダイヤフラム弁体１１０と、プランジャ１１３と、電磁ソレノイド１１４とを有している。ダイヤフラム弁体１１０は、ダイヤフラム１１１と、ダイヤフラムプレート１１２とを有している。
【００３８】
ダイヤフラム弁体１１０は、ダイヤフラム１１１をダイヤフラムプレート１１２に組み付けることにより構成されている。ダイヤフラム１１１は可撓性を有している。ダイヤフラムプレート１１２は、比較的硬質の樹脂により形成されている。
【００３９】
ダイヤフラム弁体１１０の背面側には、背圧室２８が配置されている。ダイヤフラム弁体１１０は、パイロット孔１１２ａと、ブリード孔１１２ｂとを有している。パイロット孔１１２ａを通じて、背圧室２８と２次側流路２３とは互いに連通可能である。ブリード孔１１２ｂを通じて、背圧室２８と１次側流路２２とは互いに連通している。
【００４０】
ダイヤフラム弁体１１０がプランジャ１１３の軸方向に往復動可能なように、ダイヤフラムプレート１１２はダイヤフラム１１１を介在してケーシング２１Ａに支持されている。
【００４１】
プランジャ１１３は、ダイヤフラム弁体１１２の背面側において、その軸方向に進退運動可能である。プランジャ１１３の進退運動は電磁ソレノイド１１４を駆動源としている。
【００４２】
プランジャ１１３が前進した状態においては、プランジャ１１３はパイロット孔１１２ａを閉塞しつつ、ダイヤフラム弁体１１０を弁座２４側に押圧する。これにより、ダイヤフラム弁体１１０が弁座２４に押付けられて、弁開口部２７を閉状態とすることが可能となる。
【００４３】
図示は省略するが、プランジャ１１３が後退した状態においては、パイロット孔１１２ａが開状態となって、背圧室２８と２次側流路２３とが連通する。このため、ダイヤフラム弁体１１０を後退させることで弁開口部２７を開状態とすることが可能となる。
【００４４】
第１逆止弁１２および第２逆止弁１４は、流路の上流側からこの順に直列に設けられている。第１逆止弁１２は、開閉弁１１よりも流路の下流側に配置されている。また第２逆止弁１４は、開閉弁１１および第１逆止弁１２よりも流路の下流側に配置されている。第１逆止弁１２および第２逆止弁１４の各々は、開閉弁１１側（上流側）への湯水の逆流を防止するためのものである。
【００４５】
第１逆止弁１２は、弁体１２１と、弁軸１２２と、付勢部材１２３とを含んでいる。弁体１２１は流路を開閉可能である。弁軸１２２は弁体１２１と一体的に組み付けられており、弁体１２１を支持している。付勢部材１２３は、たとえばバネ（スプリング）であり、弁体１２１を弁座１２４に押圧する方向に付勢している。
【００４６】
第２逆止弁１４は、弁体１４１と、弁軸１４２と、付勢部材１４３とを含んでいる。弁体１４１は流路を開閉可能である。弁軸１４２は弁体１４１と一体成形されており、弁体１４１を支持している。付勢部材１４３は、たとえばバネ（スプリング）であり、弁体１４１を弁座１４４に押圧する方向に付勢している。
【００４７】
第１逆止弁１２および第２逆止弁１４の各々は、上記の構成により、通水時には、弁体１２１、１４１と弁座１２４、１４４とが通水圧によって離間することで、下流側への通水を許容する。一方で、下流側から上流側へ向かう逆流水が発生した時には、弁体１２１、１４１と弁座１２４、１４４とが密着することで流路が閉塞される。これにより第１逆止弁１２および第２逆止弁１４の各々は、開閉弁１１側（上流側）への逆流を阻止することができる。
【００４８】
主に図２〜図４に示されるように、大気開放弁１３は、第１逆止弁１２および第２逆止弁１４の間の流路に連通しており、逆流発生時には逆流水を排水する。すなわち、大気開放弁１３は、第２逆止弁１４（弁体１４１と弁座１４４との間）に異物の噛み込みが生じるなどして、第１逆止弁１２および第２逆止弁１４の間の流路（中間流路）に逆流水が進行してきた場合に、その中間流路に連通する連通路２１２に空気を送り込みつつ、逆流水を外部に排出するためのものである。
【００４９】
主に図３および図４に示されるように、大気開放弁１３は、弁ハウジング部２１０と、弁体１３０と、バネ保持部材１３３と、バネ１３４と、蓋部材２１Ｄとを主に有している。
【００５０】
主に図２に示されるように、弁ハウジング部２１０は、管体部２１Ａ１と管体部２１Ａ２とが互いに交差することにより形成された隅部に位置している。弁ハウジング部２１０は、管体部２１Ａ１および管体部２１Ａ２の各々と一体的に形成されている。これにより弁ハウジング部２１０は、ケーシング２１Ａと一体的に形成されている。
【００５１】
主に図４に示されるように、弁ハウジング部２１０は、開口部（第１開口部）２１０ａと、その開口部２１０ａ内に配置された筒状部２１１とを有している。開口部２１０ａ内における筒状部２１１の外周領域２３ａ（図３）は、図２に示されるように第１逆止弁１２および第２逆止弁１４間の流路（中間流路）に連通している。また開口部２１０ａの内周領域２３ｂ（図３）は、図２に示されるように連通路２１２の内部空間に連通している。
【００５２】
主に図３および図４に示されるように、蓋部材２１Ｄは、弁ハウジング部２１０の開口部２１０ａを塞ぐように、かつ弁ハウジング部２１０との間に大気開放弁室を構成するように弁ハウジング部２１０に取り付けられている。
【００５３】
弁体１３０、バネ保持部材１３３およびバネ１３４の各々は、大気開放弁室内に配置されている。弁体１３０は、ダイヤフラム１３２をダイヤフラムプレート１３１に組み付けることにより構成されている。ダイヤフラム１３２は可撓性を有している。ダイヤフラム１３２の周縁は、弁ハウジング部２１０と蓋部材２１Ｄとの間に挟まれて支持されている。ダイヤフラムプレート１３１は、比較的硬質の樹脂により形成されている。
【００５４】
バネ１３４は、開口部２１０ａ内にて、筒状部２１１の外周に嵌められている。バネ１３４は、バネ保持部材１３３を介在して弁体１３０を蓋部材２１Ｄ側（弁開方向）へ付勢している。
【００５５】
主に図３に示されるように、弁体１３０の背面側の圧力室２３ｃには、圧力チャージ通路２６（図６）を通じて１次側流路２２（図２）の１次圧Ｐ１が供給されている。この１次圧Ｐ１によって弁体１３０と弁座２１１ａとが密着する。これにより、筒状部２１１の外周領域２３ａと内周領域２３ｂとの間の流路は閉塞されている。
【００５６】
一方で、１次圧Ｐ１が低下すると、バネ１３４の力によってダイヤフラム１３２が開弁状態に後退する。これにより弁体１３０と弁座２１１ａとが離間して、筒状部２１１の外周領域２３ａから内周領域２３ｂへの通水が許容される。２次側流路２３から外周領域２３ａを通じて内周領域２３ｂに達した逆流水は、連通路２１２の排出口２３ｂａを通じて外部に排出される。
【００５７】
主に図４に示されるように、蓋部材２１Ｄは、ねじ４１により弁ハウジング部２１０に取り付けられている。具体的には、ねじ４１は、蓋部材２１Ｄの貫通孔２１Ｄｄに挿通された状態で、弁ハウジング部２１０のねじ穴２１０ｂにねじ込まれている。
【００５８】
次に、蓋部材２１Ｄの構成、圧力チャージ通路の構成などについて図５（Ａ）〜（Ｄ）および図６を用いて説明する。
【００５９】
主に図５（Ａ）〜図５（Ｄ）に示されるように、蓋部材２１Ｄは、蓋部２１Ｄａと、第１連通部２１Ｄｂと、第２連通部２１Ｄｅと、リブ部２１Ｄｃとを有している。蓋部２１Ｄａは、図５（Ａ）に示される正面視において略矩形（たとえば略正方形）の形状を有している。蓋部２１Ｄａの略矩形の四隅の各々には、ねじ４１（図４）を挿入するための貫通孔２１Ｄｄが設けられている。
【００６０】
図５（Ｂ）および図５（Ｄ）に示されるように、蓋部２１Ｄａは、背面に筒状部２１Ｄｈを有している。筒状部２１Ｄｈは、たとえば円筒形状を有している。
【００６１】
図５（Ａ）〜図５（Ｄ）に示されるように、第１連通部２１Ｄｂ、第２連通部２１Ｄｅおよびリブ部２１Ｄｃの各々は、蓋部２１Ｄａと一体成形されている。第１連通部２１Ｄｂは、蓋部２１Ｄａの略矩形の形状の一辺から側方に突き出している。第２連通部２１Ｄｅは、第１連通部２１Ｄｂから背面側に突き出している。
【００６２】
第２連通部２１Ｄｅは、大径筒部２１Ｄｆと、小径筒部２１Ｄｇとを有している。大径筒部２１Ｄｆは、第１連通部２１Ｄｂに接続されており、小径筒部２１Ｄｇは大径筒部２１Ｄｆに接続されている。つまり大径筒部２１Ｄｆは第１連通部２１Ｄｂと小径筒部２１Ｄｇとの間に位置している。
【００６３】
大径筒部２１Ｄｆは、小径筒部２１Ｄｇよりも大きな外径を有している。これにより大径筒部２１Ｄｆと小径筒部２１Ｄｇとの接続部には円環形状の段部が構成されている。
【００６４】
図５（Ｂ）に示されるように、蓋部材２１Ｄには、圧力チャージ通路２６が設けられている。圧力チャージ通路２６は、第１通路２６ａと、第２通路２６ｂと、第３通路２６ｃとを有している。第１通路２６ａ、第２通路２６ｂおよび第３通路２６ｃの各々は直線状に延びている。
【００６５】
第１通路２６ａは、蓋部２１Ｄａの内部に延びており、かつ蓋部２１Ｄａの背面に開口している。第２通路２６ｂは、第１連通部２１Ｄｂおよび第２連通部２１Ｄｅの内部を延びており、かつ小径筒部２１Ｄｇの先端にて開口している。
【００６６】
第３通路２６ｃは、蓋部２１Ｄａと第１連通部２１Ｄｂとの内部に延びており、かつ第１通路２６ａと第２通路２６ｂとを繋いでいる。第３通路２６ｃは蓋部材２１Ｄの外面（第１連通部２１Ｄｂの側面）に開口する開口部（第２開口部）２６ｃａを有している。
【００６７】
図５（Ａ）および図５（Ｃ）に示されるように、リブ部２１Ｄｃは、圧力チャージ通路２６に対して弁ハウジング部とは反対側に突き出している。リブ部２１Ｄｃは、圧力チャージ通路２６に沿って直線状に延びている。リブ部２１Ｄｃは、図５（Ａ）に示す正面視において、圧力チャージ通路２６と重畳している。
【００６８】
図６に示されるように、蓋部材２１Ｄは、弁ハウジング部２１０に一方向からの固定で取り付けられている。ここで、一方向からの固定で取り付けられるとは、図６中の矢印Ａ方向に沿う方向（矢印Ａ方向から少しずれた方向を含む）から蓋部材２１Ｄを弁ハウジング部２１０に取り付けることを意味している。より具体的には、矢印Ａ方向に沿う方向からねじ４１をねじ込みなどすることにより蓋部材２１Ｄが弁ハウジング部２１０に取り付けられている。蓋部材２１Ｄを弁ハウジング部２１０に取り付けるに際して、矢印Ａ方向に沿う方向以外の方向からのねじのねじ込みなどはないことが好ましい。言い換えれば、一方向のみからの固定で取り付けられるのが好ましい。またこの状態においては、蓋部材２１Ｄは弁ハウジング部２１０およびケーシング２１Ａの一の表面（正面（図６の下側の面））を覆うだけであり、他の表面（背面（図６の上側の面）、側面（図６の左右側の面））を覆っていない。
【００６９】
圧力チャージ通路２６は、図６に示す上方から見た断面においてコの字形状を有している。第１通路２６ａおよび第２通路２６ｂの双方は、第３通路２６ｃと交差する方向であって互いに同じ方向に延びている。具体的には、第３通路２６ｃは第１通路２６ａおよび第２通路２６ｂの双方に直交しており、かつ第１通路２６ａと第２通路２６ｂとは互いに平行に延びている。
【００７０】
第１通路２６ａは、弁体１３０と蓋部材２１Ｄとの間に位置する圧力室２３ｃに開口している。第２通路２６ｂは、管体部２１Ａ１内の１次側流路２２に開口している。第３通路２６ｃの開口部２６ｃａには、閉止栓４４が挿入されている。
【００７１】
閉止栓４４と蓋部材２１Ｄとの間には、シール部材（たとえばＯリング）４５が配置されている。シール部材４５は、閉止栓４４の外周と開口部２６ｃａの内周との間に嵌められており、円筒シールを構成している。この閉止栓４４およびシール部材４５により、第３通路２６ｃの開口部２６ｃａから湯水が漏れ出すことが防止されている。
【００７２】
ケーシング２１Ａは、閉止栓４４の側方に位置する突出部２１Ａａを有している。突出部２１Ａａは、閉止栓４４の側方に位置する壁面部２１Ａｂを有している。この突出部２１Ａａの壁面部２１Ａｂにより、第３通路２６ｃから閉止栓４４が抜けることが防止されている。
【００７３】
上記突出部２１Ａａには、規制部材４７が取り付けられている。この規制部材４７は、蓋部材２１Ｄに対して弁ハウジング部２１０とは反対側に位置する部分を有している。これにより逆流防止装置１内を流れる湯水の圧力によって蓋部材２１Ｄが弁ハウジング部２１０に対して移動することが規制部材４７によって規制されている。
【００７４】
規制部材４７は、たとえばねじであり、突出部２１Ａａに形成されたねじ穴２１Ａｃにねじ込まれることにより突出部２１Ａａに固定されている。このねじ４７の頭部は軸部から外周方向に張り出しており、その張り出した頭部が蓋部材２１Ｄに対して弁ハウジング部２１０とは反対側に位置している。つまり、ねじ４７の頭部によって、蓋部材２１Ｄの弁ハウジング部２１０に対する移動が規制されている。
【００７５】
第２連通部２１Ｄｅは、ケーシング２１Ａに形成された孔２５内に挿入されている。孔２５は、大径孔部２５ａと、小径孔部２５ｂとを有している。小径孔部２５ｂは、大径孔部２５ａと１次側流路２２との間に位置しており、大径孔部２５ａと１次側流路２２とを繋いでいる。
【００７６】
第２連通部２１Ｄｅの大径筒部２１Ｄｆは大径孔部２５ａ内に位置している。第２連通部２１Ｄｅの小径筒部２１Ｄｇは大径孔部２５ａ内および小径孔部２５ｂ内に位置している。第２連通部２１Ｄｅとケーシング２１Ａとの間には、シール部材（たとえばＯリング）４３が配置されている。
【００７７】
シール部材４３は、第２連通部２１Ｄｅの外周と孔２５の内周との間に嵌められており、円筒シールを構成している。具体的には、シール部材４３は、第２連通部２１Ｄｅの小径筒部２１Ｄｇの外周と孔２５の大径孔部２５ａの内周との間に配置されている。シール部材４３により、ケーシング２１Ａと第２連通部２１Ｄｅとの間から湯水が漏れ出すことが防止されている。
【００７８】
次に、図１〜図６に示す本実施の形態の逆流防止装置１が用いられた風呂給湯器の構成について図７を用いて説明する。
【００７９】
図７に示されるように、風呂給湯器５０は、逆流防止装置１と、循環ポンプ２０と、バーナ５０ａ、５０ｂと、熱交換器５１ａ、５１ｂと、給湯経路６１と、注湯経路６２と、風呂循環経路６３とを有している。
【００８０】
給湯経路６１は、上水を加熱する経路である。給湯経路６１は、配管６１ａと、配管６１ｂと、熱交換器５１ａとを有している。配管６１ａの一方端は、入水口６０を有している。入水口６０は、上水道に接続されている。配管６１ａの他方端は、熱交換器５１ａの一方端に接続されている。熱交換器５１ａの他方端は、配管６１ｂの一方端に接続されている。配管６１ｂの他方端は、カラン等に接続されている。熱交換器５１ａの近傍には、バーナ５０ａが配置されている。
【００８１】
風呂循環経路６３は、浴槽７０中の湯水を加熱する経路である。風呂循環経路６３は、配管６３ａと、配管６３ｂと、熱交換器５１ｂとを有している。配管６３ａの一方端は熱交換器５１ｂの一方端に接続されている。配管６３ａの他方端は、循環アダプタ７１に接続されている。熱交換器５１ｂの他方端は、配管６３ｂの一方端に接続されている。配管６３ｂの他方端は、循環アダプタ７１に接続されている。熱交換器５１ｂの近傍には、バーナ５０ｂが配置されている。配管６３ｂには、循環ポンプ２０が設けられている。
【００８２】
注湯経路６２は、給湯経路６１から風呂循環経路６３に湯水を流入させる経路である。注湯経路６２の一方端は、給湯経路６１に接続されている。より具体的には、注湯経路６２の一方端は、配管６１ｂに接続されている。注湯経路６２の他方端は、風呂循環経路６３に接続されている。より具体的には、注湯経路６２の他方端は、配管６３ｂに接続されている。
【００８３】
本実施の形態の逆流防止装置１は、注湯経路６２の途中に設けられている。より具体的には、逆流防止装置１の１次側流路２２は、配管６１ｂ側に接続されている。逆流防止装置１の２次側流路２３は、配管６３ｂ側に接続されている。開閉弁１１は、風呂給湯器５０において給湯経路から注湯経路へ湯水の流通と遮断を切り替えるための注湯弁である。
【００８４】
循環アダプタ７１は、浴槽７０内に設けられている。循環アダプタ７１は、吐出口と吸込口とを有している。
【００８５】
上記の風呂給湯器５０の一般給湯動作では、入水口６０から供給された上水は、配管６１ａを介して熱交換器５１ａに供給される。熱交換器５１ａに供給された上水は、熱交換器５１ａにおいて加熱されて湯となる。この湯は、配管６１ｂを介してカラン等へ供給される。
【００８６】
また上記の風呂給湯器５０の浴槽７０への湯張り動作では、入水口６０から供給された上水は、配管６１ａを介して熱交換器５１ａに供給される。熱交換器５１ａに供給された上水は、熱交換器５１ａにおいて加熱されて湯となる。風呂給湯器５０が浴槽７０への湯張り動作を行っている際には、逆流防止装置１の開閉弁１１は開状態となっている。そのため、この湯は、配管６１ｂ、注湯経路６２、配管６３ｂおよび循環アダプタ７１の吐出口を通じて浴槽７０に供給される。
【００８７】
また上記の風呂給湯器５０の追い焚き動作では、循環ポンプ２０により、循環アダプタ７１の吸込口から浴槽７０の湯が図中の矢印の方向に吸い上げられる。この吸い上げられた湯は、配管６３ｂを通じて、熱交換器５１ｂに供給される。熱交換器５１ｂに供給された湯は、熱交換器５１ｂにおいて昇温される。この昇温された湯は、配管６３ａおよび循環アダプタ７１の吐出口を通じて、浴槽７０に戻される。
【００８８】
次に、本実施の形態の作用効果について説明する。
図６に示されるように、本実施の形態によれば、蓋部材２１Ｄは圧力チャージ通路２６を有している。圧力チャージ通路２６は、圧力室２３ｃと１次側流路２２とを繋いでいる。このため圧力室２３ｃと１次側流路２２とを繋ぐ配管などを蓋部材２１Ｄ以外に別途準備する必要がない。よって部品の数が少ないシンプルな構成で圧力チャージ通路２６を構成でき、かつシール性を向上させることができる。
【００８９】
また蓋部材２１Ｄが一方向からの固定で弁ハウジング部２１０に取り付けられている。このため、弁ハウジング部２１０に対して蓋部材２１Ｄを位置合わせすることが容易になるとともに、シール性を向上させることができる。
【００９０】
また圧力チャージ通路２６は、図６に示す上方から見た断面においてコの字形状となるように蓋部材２１Ｄに設けられている。これにより圧力チャージ通路２６を簡易な形状で構成することができる。
【００９１】
また圧力チャージ通路２６の第３通路２６ｃは蓋部材２１Ｄの外面に開口する開口部２６ｃａを有している。これにより第３通路２６ｃの開口部２６ｃａから樹脂成形時の金型を抜くことが可能となる。このため、コの字形状の圧力チャージ通路２６を樹脂成形時に蓋部材２１Ｄに形成することが可能となる。
【００９２】
また第３通路２６ｃの開口部２６ｃａには閉止栓４４が挿入されている。この閉止栓４４により、第３通路２６ｃの開口部２６ｃａから湯水が漏れることを防止することができる。
【００９３】
またケーシング２１Ａは、閉止栓４４の側方に位置する壁面部２１Ａｂを有している。この壁面部２１Ａｂが閉止栓４４の側方に位置しているため、閉止栓４４が第３通路２６ｃから抜けることが壁面部２１Ａｂにより防止される。
【００９４】
また１次側流路２２と圧力チャージ通路２６の第２通路２６ｂとの接続部において、蓋部材２１Ｄとケーシング２１Ａとはシール部材４３を用いた円筒シールによりシールされている。円筒シールが用いられているため、面シールが用いられた場合よりもシール性が向上する。
【００９５】
図８（Ａ）、（Ｂ）に示されるように、仮に面シールが用いられた場合、ケーシング２１Ａの端面と蓋部材２１Ｄとの間にシール部材４３が配置されたうえで、蓋部材２１Ｄがケーシング２１Ａにねじ４６などで固定される。この面シールの場合、ねじ４６で締め上げられた箇所以外では、ケーシング２１Ａと蓋部材２１Ｄとの間の密着力が弱くなり、湯水が漏れやすくなる。
【００９６】
これに対して、図６に示されるように円筒シールが用いられた場合には、シール部材４３によってシールされた部分の円周全体に均一に力を加えることができるため、シール部の全周において湯水の漏れを抑制することが可能となる。
【００９７】
また規制部材４７は、蓋部材２１Ｄに対して弁ハウジング部２１０とは反対側に位置する部分（ねじの頭部）を有している。これにより、逆流防止装置１内の湯水の圧力が高い場合であっても、弁ハウジング部２１０に対する蓋部材２１Ｄの移動を規制することが可能となり、さらにシール性を向上させることができる。
【００９８】
また規制部材４７は、ケーシング２１Ａにねじ込まれたねじである。このように規制部材４７にねじを用いることにより簡易な構成で規制部材４７を実現することができる。
【００９９】
また図５（Ａ）おおび図５（Ｃ）に示されるように、蓋部材２１Ｄは、圧力チャージ通路２６に対して弁ハウジング部２１０側とは反対側に突き出したリブ部２１Ｄｃを有している。このリブ部２１Ｄｃを設けることにより、蓋部材２１Ｄの強度を補強することができる。これにより圧力チャージ通路２６を流れる湯水の圧力が高い場合にも、蓋部材２１Ｄの変形を抑制することができる。
【０１００】
本発明は、上述した実施の形態の内容に限定されない。本発明に係る逆流防止装置１の具体的な構成は、本発明の意図する範囲内において種々に設計変更自在である。
【０１０１】
本実施の形態に係る逆流防止装置１は、図７に示されるように給湯経路と風呂追い焚き経路とを有する風呂給湯器５０において浴槽７０側から上水道側への逆流を防止する用途に好適であるが、使用用途はこれに限定されるものではない。
【０１０２】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１  逆流防止装置、７０  浴槽、１１  開閉弁、１２  第１逆止弁、１３  大気開放弁、１４  第２逆止弁、１５  流量センサ、２０  循環ポンプ、２１  本体部、２１Ａ２，２１Ａ１，２１Ｂ１  管体部、２１Ａ，２１Ｂ，２１Ｃ  ケーシング、２１Ａａ  突出部、２１Ａｂ  壁面部、２１Ａｃ，２１０ｂ  ねじ穴、２１Ｂａ，２１Ｃａ，２６ｃａ，２１０ａ  開口部、２１Ｄ  蓋部材、２１Ｄａ  蓋部、２１Ｄｈ，２１１  筒状部、２１Ｄｂ  第１連通部、２１Ｄｃ  リブ部、２１Ｄｄ  貫通孔、２１Ｄｅ  第２連通部、２１Ｄｆ  大径筒部、２１Ｄｇ  小径筒部、２２  １次側流路、２３  ２次側流路、２３ａ  外周領域、２３ｂ  内周領域、２３ｂａ  排出口、２３ｃ  圧力室、２４，１２４，１４４，２１１ａ  弁座、２５  孔、２５ａ  大径孔部、２５ｂ  小径孔部、２６  圧力チャージ通路、２６ａ  第１通路、２６ｂ  第２通路、２６ｃ  第３通路、２７  弁開口部、２８  背圧室、４１，４２，４６  ねじ、４３，４５  シール部材、４４  閉止栓、４７  規制部材、５０  風呂給湯器、５０ａ，５０ｂ  バーナ、５１ａ，５１ｂ  熱交換器、６０  入水口、６１  給湯経路、６１ａ，６１ｂ，６３ａ，６３ｂ  配管、６２  注湯経路、６３  風呂循環経路、７１  循環アダプタ、１１０  ダイヤフラム弁体、１１１，１３２  ダイヤフラム、１１２，１３１  ダイヤフラムプレート、１１２ａ  パイロット孔、１１２ｂ  ブリード孔、１１３  プランジャ、１１４  電磁ソレノイド、１２１，１３０，１４１  弁体、１２２，１４２  弁軸、１２３，１４３  付勢部材、１３３  バネ保持部材、１３４  バネ、２１０  弁ハウジング部、２１２  連通路。
【図１】
0006743438.tif 000002
【図２】
0006743438.tif 000003
【図３】
0006743438.tif 000004
【図４】
0006743438.tif 000005
【図５】
0006743438.tif 000006
【図６】
0006743438.tif 000007
【図７】
0006743438.tif 000008
【図８】
0006743438.tif 000009